【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
環状コアと、
前記環状コアに巻き付けられた第１のコイルと、
前記環状コアと前記第１のコイルとを収納する環状の絶縁性の第１の容器と、
前記第１のコイルに接続され、前記第１の容器の外部に引き出される第１の取り出し線対と、前記第１の容器に巻き付けられた第２のコイルと、
前記第２のコイルに接続される第２の取り出し線対と、
を備える絶縁トランスであって、
絶縁性液体の中に配置され、
前記第１の容器は、前記絶縁性液体が流動可能なように設けられた第１の開孔を有していることを特徴とする絶縁トランス。
【請求項２】
環状コアと、絶縁性の第１の容器と、一対のコイルと、を備え、絶縁性液体中に配置される絶縁トランスであって、
前記一対のコイルの一方は第１のコイル、他方は第２のコイルであり、
前記第１のコイルは前記環状コアに巻き付けられ、
前記第１の容器は、前記環状コアと前記第１のコイルとを収納し、
前記第２のコイルは、前記第１の容器に巻き付けられ、
前記第１の容器は、前記絶縁性液体が流動可能なように設けられた第１の開孔を有していることを特徴とする絶縁トランス。
【請求項３】
前記第１のコイルに接続され、前記第１の容器の外部に引き出される第１の取り出し線対と、
前記第２のコイルに接続される第２の取り出し線対と、をさらに備え、
前記第１の取り出し線対は、前記第１の開孔を介して前記第１の容器の外部に引き出されていることを特徴とする請求項２に記載の絶縁トランス。
【請求項４】
前記第１の開孔は、前記第１の容器に気泡が閉じ込められないように、前記第１の容器に設けられていることを特徴とする請求項１乃至３のいずれか１項に記載の絶縁トランス。
【請求項５】
前記第１の容器は、環状の中空部を有するドーナツ状であって、軸方向において嵌合によって組み合わさる二つの部材からなり、前記第１の容器の周方向の少なくとも前記第２のコイルが巻かれた領域は、前記二つの部材が前記第１の容器の径方向において互いに重なり合って嵌合されていることを特徴とする請求項１乃至４のいずれか１項に記載の絶縁トランス。
【請求項６】
前記第１の容器は、環状の中空部を有するドーナツ状であって、前記第１の開孔は、前記第１の容器の径方向における外周に設けられていることを特徴とする請求項１乃至５のいずれか１項に記載の絶縁トランス。
【請求項７】
前記第１のコイルと前記第２のコイルとは、前記環状コアの中心軸を中心に対称的に配置されていることを特徴とする請求項１乃至６に記載の絶縁トランス。
【請求項８】
前記第１の容器の外側に、前記第１の容器の軸方向に突出する衝立構造を有し、前記第１の容器の径方向において、前記衝立構造を挟んで一方に前記第１のコイルが、他方に前記第２のコイルがそれぞれ配置されていることを特徴とする請求項１乃至８のいずれか１項に記載の絶縁トランス。
【請求項９】
前記第１の取り出し線対と前記第２の取り出し線対とは、前記環状コアの中心軸を中心に対称的に配置されていることを特徴とする請求項１又は３に記載の絶縁トランス。
【請求項１０】
前記第１の容器の外側に、前記第１の容器の軸方向に突出する衝立構造を有し、前記第１の容器の径方向において、前記衝立構造を挟んで一方に前記第１の引き出し線対が、他方に前記第２の引き出し線対がそれぞれ配置されていることを特徴とする請求項１、３及び９のいずれか１項に記載の絶縁トランス。
【請求項１１】
前記第１の取り出し線対は、前記第１の開孔から引き出されていることを特徴とする請求項１、３、９及び１０のいずれか１項に記載の絶縁トランス。
【請求項１２】
前記第１の容器の内部の前記環状コア及び前記第１のコイルを除く領域は空隙であって、前記第１の容器は前記環状コア及び前記第１のコイルの少なくとも一方と離間している内側離間部を有することを特徴とする請求項１乃至１１のいずれか１項に記載の絶縁トランス。
【請求項１３】
前記内側離間部は環状であることを特徴とする請求項１２に記載の絶縁トランス。
【請求項１４】
前記第１の容器と前記第２のコイルとを収納した環状の絶縁性の第２の容器を備え、
前記第２の容器は第２の開孔を備え、
前記第１の取り出し線対及び前記第２の取り出し線対は前記第２の容器の外部に引き出されていることを特徴とする請求項１、３、９乃至１１のいずれか１項に記載の絶縁トランス。
【請求項１５】
前記第１の取り出し線対は、前記第１の開孔及び前記第２の開孔から引き出されていることを特徴とする請求項１４に記載の絶縁トランス。
【請求項１６】
前記第２の容器は第３の開孔を有し、前記第２の取り出し線対は前記第３の開孔から引き出されていることを特徴とする請求項１４は１５に記載の絶縁トランス。
【請求項１７】
前記第２の容器の内部の前記第１の容器及び前記第２のコイルを除く領域は空隙であって、前記第２の容器は前記第１の容器及び前記第２のコイルの少なくとも一方と離間している外側離間部を有することを特徴とする請求項１４乃至１６のいずれか１項に記載の絶縁トランス。
【請求項１８】
前記外側離間部は環状であることを特徴とする請求項１７に記載の絶縁トランス。
【請求項１９】
前記第１の容器の内周と前記第２の容器の内周とは重なって配置されていることを特徴とする請求項１４乃至１８のいずれか１項に記載の絶縁トランス。
【請求項２０】
前記第１の容器と前記第２の容器とは同心円状に配置されていることを特徴とする請求項１４乃至１９のいずれか１項に記載の絶縁トランス。
【請求項２１】
収納容器内に収納された放射線発生管と、前記放射線発生管を駆動するための駆動装置とを備え、前記収納容器内の余空間が絶縁性液体で満たされた放射線発生装置において、
前記駆動装置が前記収納容器内に請求項１乃至２０のいずれか１項に記載の絶縁トランスを備えていることを特徴とする放射線発生装置。
【請求項２２】
前記絶縁トランスの前記第１のコイルは前記第２のコイルよりも接地電位に近いことを特徴とする請求項２１に記載の放射線発生装置。
【請求項２３】
前記絶縁トランスの前記第１のコイルは前記駆動装置に設けられた交流電源に電気的に接続されていることを特徴とする請求項２１又は２２に記載の放射線発生装置。
【請求項２４】
前記放射線発生管は電子銃を備えており、前記第２のコイルは前記駆動装置に設けられた前記電子銃の駆動回路に電気的に接続されていることを特徴とする請求項２１乃至２３のいずれか１項に記載の放射線発生装置。
【請求項２５】
請求項２１乃至２４のいずれか１項に記載の放射線発生装置と、
前記放射線発生管から放出され、被検体を透過した放射線を検出する放射線検出装置と、前記放射線発生装置と前記放射線検出装置とを連携制御する制御装置と、を備えていることを特徴とする放射線撮影システム。
【手続補正２】
【補正対象書類名】明細書
【補正対象項目名】０００８
【補正方法】変更
【補正の内容】
【０００８】
本発明の第１は、環状コアと、
前記環状コアに巻き付けられた第１のコイルと、
前記環状コアと前記第１のコイルとを収納する環状の絶縁性の第１の容器と、
前記第１のコイルに接続され、前記第１の容器の外部に引き出される第１の取り出し線対と、
前記第１の容器に巻き付けられた第２のコイルと、
前記第２のコイルに接続される第２の取り出し線対と、
を備える絶縁トランスであって、
絶縁性液体の中に配置され、
前記第１の容器は、前記絶縁性液体が流動可能なように設けられた第１の開孔を有していることを特徴とする。
本発明の第２は、環状コアと、絶縁性の第１の容器と、一対のコイルと、を備え、絶縁性液体中に配置される絶縁トランスであって、
前記一対のコイルの一方は第１のコイル、他方は第２のコイルであり、
前記第１のコイルの一方は、前記環状コアに巻き付けられ、
前記第１の容器は、前記環状コアと前記第１のコイルとを収納し、
前記第２のコイルは、前記第１の容器に巻き付けられ、
前記第１の容器は、前記絶縁性液体が流動可能なように設けられた第１の開孔を有していることを特徴とする。
【手続補正３】
【補正対象書類名】明細書
【補正対象項目名】０００９
【補正方法】変更
【補正の内容】
【０００９】
本発明の第３は、収納容器内に収納された放射線発生管と、前記放射線発生管を駆動するための駆動装置とを備え、前記収納容器内の余空間が絶縁性液体で満たされた放射線発生装置において、
前記駆動装置が前記収納容器内に上記本発明の絶縁トランスを備えていることを特徴とする。
【手続補正４】
【補正対象書類名】明細書
【補正対象項目名】００１０
【補正方法】変更
【補正の内容】
【００１０】
本発明の第４は、上記本発明の放射線発生装置と、
前記放射線発生管から放出され、被検体を透過した放射線を検出する放射線検出装置と、
前記放射線発生装置と前記放射線検出装置とを連携制御する制御装置と、を備えていることを特徴とする放射線撮影システムである。
【手続補正５】
【補正対象書類名】明細書
【補正対象項目名】００１６
【補正方法】変更
【補正の内容】
【００１６】
第１の容器５は環状の中空部を有する絶縁性容器で有り、第１の容器５の内周とコア２の内周が重なるように、一方のコイル（第１のコイル）３と共にコア２は第１の容器５の環状の中空部分に収納される。第１の容器５には、他方のコイル（第２のコイル）７が巻かれており、他方のコイル７は第２の取り出し線対８に電気的に接続されている。本発明において、一方のコイル３及び他方のコイル７は、どちらかが一次コイルであり、残りが二次コイルであって、いずれが一次コイルであってもよい。尚、本発明の絶縁トランスにおいては、放射線発生装置に用いた際に、入力側の一次コイルが低電位、出力側の二次コイルが負の高電位となるため、コア２に近い側の一方のコイル３としては、より接地電位に近い一次コイルであることが好ましい。よって、以下の説明においては、一方のコイル３を一次コイル、他方のコイル７を二次コイルとする。
【手続補正６】
【補正対象書類名】明細書
【補正対象項目名】００２６
【補正方法】変更
【補正の内容】
【００２６】
〔放射線発生装置〕
図８は、本発明の放射線発生装置の一実施形態の構成を模式的に示すブロック図である。本実施形態の放射線発生装置３１は、放射線発生管３２、駆動装置３３、管電圧発生装置３４からなる。駆動装置３３は、駆動制御部３５、絶縁トランス３６、駆動回路３７からなり、管電圧発生装置３４は、管電圧制御部３８、高圧トランス３９、高電圧発生回路４０からなり、収納容器４２内の余空間には絶縁性液体４１が充填されている。放射線発生管３２、駆動装置３３の一部である絶縁トランス３６と駆動回路３７、及び管電圧発生装置３４の一部である高圧トランス３９と高電圧発生回路４０は、収納容器４２内の絶縁性液体４１の中に浸されている。